(57)【要約】【課題】画素ずらしを行う場合に電気回路基板のアースを確実に取る。【解決手段】画像読取装置８は、昇降ブラケット３２、撮像ユニット３３を備える。撮像ユニット３３は昇降ブラケット３２に取り付けられる。撮像ユニット３３は、ベースプレート５０、第１，第２画素ずらしユニット５１，５２、シフト板５３、保護フレーム５４、電気回路基板５５から構成される。電気回路基板５５は、シフト板５３に取り付けられる。電気回路基板５５の下面には、接続部材６０が設けられる。接続部材６０は、ホルダと弾性変形する薄板金属からなる接触片とを備える。接続部材６０は、電気回路基板５５の４辺の各両端部にそれぞれ２個（合計１６個）設けられており、接触片が支持部５４ｂに接触する。第１，第２画素ずらしユニット５１，５２により、電気回路基板５５が移動されると、接触片が支持部５４ｂ面上を移動する。【選択図】　　　　　　　　図６
2004118064.tif 000002
【特許請求の範囲】
【請求項１】
画像原稿を撮像する撮像素子と、この撮像素子が固定された電気回路基板と、この電気回路基板が取り付けられ、前記撮像素子の受光面と平行な方向に電気回路基板を移動させる基板移動手段と、前記電気回路基板を接地するための接地部材と、前記電気回路基板と接地部材との間でいずれか一方に設けられ、他方に弾発的に接触して電気回路基板を接地する接続部材とを備えることを特徴とする画像読取装置。
【請求項２】
前記接続部材は弾性変形する薄板金属からなる接触片を備えていることを特徴とする請求項１記載の画像読取装置。
【請求項３】
前記基板移動手段は前記電気回路基板を一次元または二次元に移動させる画素ずらしユニットであることを特徴とする請求項１または２記載の画像読取装置。
【請求項４】
前記接地部材は前記画素ずらしユニットを囲んで保護する保護フレームであることを特徴とする請求項３記載の画像読取装置。
【発明の詳細な説明】
【０００１】
【発明の属する技術分野】
本発明は、写真フイルム等の透過原稿の画像を読み取る画像読取装置に関するものである。
【０００２】
【従来の技術】
【特許文献１】
特開２０００−１３４４２０号公報（図５）
【０００３】
デジタルプリントシステムでは、写真フイルムの画像情報をＣＣＤ等のイメージセンサで光電的に読み取り、読み取った画像データに対して拡大縮小や各種補正等の画像処理を行った後に、印画紙等の記録材料への画像の記録やディスプレイへの画像の表示等を行っている（例えば、特許文献１参照）。ＣＣＤ等のイメージセンサで光電的に読み取る際には、ＣＣＤが取り付けられた電気回路基板をＸ方向及びＹ方向に微量移動させ、画素ずらしを行い読取画素数を向上させている。
【０００４】
【発明が解決しようとする課題】
画素ずらしは、ＣＣＤが取り付けられた電気回路基板を画素ずらしユニットに取り付けて行われる。この場合に、電気回路基板の接地は画素ずらしユニットを介して行うと、画素ずらしユニット自体がスライド自在に構成されているため、接地が不充分になる。これに対しては、電気回路基板から直接に電気コードなどを介して接地することも考えられるが、コード類による接地はハンダ付けなどの取り付け作業を伴い、組立コストや製造コストが上昇してしまう他に、メンテナンスの際にコード類の取り外しが必要になり煩わしい作業になってしまう。
【０００５】
本発明は、上記課題を解決するためになされたものであり、画素ずらしを行う場合でもＣＣＤを有する電気回路基板のアースを確実にしかも簡単な構成で取ることができるようにした画像読取装置を提供することを目的とする。
【０００６】
【課題を解決するための手段】
上記目的を達成するために、本発明の画像読取装置は、画像原稿を撮像する撮像素子と、この撮像素子が固定された電気回路基板と、この電気回路基板が取り付けられ、前記撮像素子の受光面と平行な方向に電気回路基板を移動させる基板移動手段と、前記電気回路基板を接地するための接地部材と、前記電気回路基板と接地部材との間でいずれか一方に設けられ、他方に弾発的に接触して電気回路基板を接地する接続部材とを備えたものである。なお、前記接続部材は弾性変形する薄板金属からなる接触片を備えていることが好ましい。また、前記基板移動手段は前記電気回路基板を一次元または二次元に移動させる画素ずらしユニットであることが好ましい。さらに、前記接地部材は前記画素ずらしユニットを囲んで保護する保護フレームであることが好ましい。
【０００７】
【発明の実施の形態】
図１は、本発明を実施したデジタルラボシステムの外観を示す斜視図、図２は、その内部の構成を示す概略図である。デジタルラボシステム２は、画像読取及び画像処理を行う入力部３と、画像処理が行われた画像データに基づく画像を印画紙等に記録するプリンタ部４と、画像が露光された感光材料に現像処理等を行うプロセッサ部５とから構成される。
【０００８】
入力部３は、画像読取装置８、画像処理装置９、外部記録装置１０等から構成される。画像読取装置８は、ネガフイルムやリバーサルフイルム等の写真フイルムに記録されている画像（コマ）を読み取るためのものであり、例えば１３５サイズの写真フイルムやＩＸ２４０タイプの写真フイルムの他に、１１０サイズ、１２０や２２０サイズ（ブローニサイズ）等の各種写真フイルムの画像を読み取ることができる。また、専用のマウントキャリアを用いることにより、スライドマウントの写真フイルムも読み取ることも可能である。
【０００９】
画像処理装置９は、電装部１１の上部に設けられている。画像処理装置９では、画像記録装置８から出力された画像データに対して各種の補正等の画像処理を行い、プレスキャン時にはその画像データを記憶し、ファインスキャン時には記録用画像データとしてプリンタ部４に出力する。画像処理としては、グレイバランス調整、階調補正、および濃度（明るさ）調整、マトリクス（ＭＴＸ）による撮影光源種補正や画像の彩度調整（色調整）がある。この他に、電子変倍処理、覆い焼き処理（濃度ダイナミックレンジの圧縮／伸長）、シャープネス（鮮鋭化）処理等が行われる。これらの処理には、ローパスフィルタ、加算器、ＬＵＴ、ＭＴＸ等が用いられ、これらを適宜組み合わせることで、平均化処理や補間演算等が実施される。
【００１０】
外部記録装置１０は、画像処理済みの画像データを画像ファイルとして記録するために設けられている。この外部記録装置１０としては、例えば、メモリカードやＣＤ−ＲＯＭ等の各種記憶媒体が挙げられる。また、画像処理済みの画像データは、モニタ等の表示器１２に表示させることができる。
【００１１】
プリンタ部４は、入力部３の下方に設けられている。このプリンタ部４には、給紙マガジン１４と、露光部１５と、搬送機構（図示せず）とから構成される。給紙マガジン１４から露光部１５に搬送された感光材料１６は、画像データに基づく画像が露光記録され、プロセッサ部５に搬送される。
【００１２】
プロセッサ部５は、現像処理部１８、乾燥部１９、ソーター部２０から構成される。現像処理部１８は、周知のように発色現像槽２２、漂白定着槽２３、水洗槽２４〜２７が順次隣接して配置され、それぞれに補充液が充填されている。感光材料１６は、図示しない搬送ラックによる駆動力を受けて各処理槽２２〜２７及び乾燥部１９を通過することで現像処理される。また、乾燥部１９に搬送された感光材料１６はコマ毎に切断され、ソーター部２０に排出される。なお、乾燥後にコマ毎に切断する代わりに、給紙マガジン１４から感光材料１６を引き出した後に、所定のサイズに感光材料１６を切断し、これに対して露光及び現像処理を行ってもよい。
【００１３】
図３に示すように、画像読取装置８は、支持部３０を有する撮像台３１と、支持部３０に昇降自在に取り付けられる昇降ブラケット３２と、この昇降ブラケット３２に保持される撮像ユニット３３と、昇降ブラケット３２に取り付けられる撮像レンズユニット３４と、撮像台３１に固定されるフイルムキャリア３５と、光源ユニット３６とから構成されている。
【００１４】
フイルムキャリア３５は、撮像台３１の上面に、図示しない位置決め機構を介して取り付けられる。このフイルムキャリア３５は、写真フイルム３７の画像記録範囲の中心を光軸上に位置するように保持させるものである。このフイルムキャリア３５には、例えば１３５型の写真フイルムを搬送する第１経路３５ａと、例えばＩＸ２４０型の写真フイルムを搬送する第２経路３５ｂとが設けられている。位置決め機構は、フイルムキャリア３５を光軸に対して垂直方向にスライドさせる。
【００１５】
光源ユニット３６は、図示しない光源と光拡散ボックスとからなり、光源は、例えば赤色（Ｒ）、緑色（Ｇ）、青色（Ｂ）の各色ＬＥＤがマトリックス状（ｎ×ｍ）に配置されたＬＥＤ光源から構成されている。画像読取時には、この光源からは、赤色、緑色、青色光が順次発光するようになっている。光拡散ボックスは、光軸に対して垂直な拡散板に入射した光を、光出射部となる拡散板から拡散光として射出し、読取位置に支持された写真フイルム３７へ照射する。光拡散ボックスから射出される光を拡散光にすることで、写真フイルム３７に照射される光の光量ムラが低減され、写真フイルム３７の画像記録範囲に均一な光量の光が照射されると共に、写真フイルム３７に傷が付いていたとしてもこの傷が目立ちにくくなる。
【００１６】
昇降ブラケット３２は、２本のガイド棒３９により鉛直方向で移動自在に保持されており、シフト機構４０により鉛直方向の任意位置に位置決めされる。これにより、撮像倍率が変更される。
【００１７】
図４及び図５に示すように、撮像ユニット３３は、支持台４１を介して昇降ブラケット３２に固定されている。支持台４１には撮像開口４１ａが形成されている。また、支持台４１内には、撮像開口４１ａを開閉するブラックシャッタ４３が取り付けられており、このブラックシャッタ４３はシャッタ駆動部４４により駆動される。
【００１８】
図４〜図６に示すように、撮像ユニット３３は、ベースプレート５０、第１画素ずらしユニット５１、第２画素ずらしユニット５２、シフト板５３、保護フレーム５４、電気回路基板５５から構成される。
【００１９】
図５に示すように、ベースプレート５０には、第１画素ずらしユニット５１、第２画素ずらしユニット５２、シフト板５３が取り付けられている。このベースプレート５０は支持台４１に対して取り付け傾斜角度が変更自在に取り付けられており、あおり調整が可能になっている。第１画素ずらしユニット５１は、金属製のベース５１ａとピエゾ素子５１ｂとから構成され、ピエゾ素子５１ｂによりシフト板５３をＢ方向に移動させる。第２画素ずらしユニット５２は、金属製のベース５２ａとピエゾ素子５２ｂとから構成され、ピエゾ素子５２ｂによりシフト板５３をＣ方向に移動させる。ピエゾ素子５１ｂ，５２ｂには、それぞれコネクタ５１ｃ，５２ｃが接続されている。
【００２０】
ベースプレート５０には開口５０ａが、第１画素ずらしユニット５１のベース５１ａには開口５１ｄが、第２画素ずらしユニット５２のベース５２ａには開口５２ｄが、シフト板５３には開口５３ａが、それぞれ撮像開口４１ａに対応した位置に設けられている。図６に示すように、シフト板５３には、電気回路基板５５を取り付けるための取り付けボス５３ｂが４個設けられている。
【００２１】
ベースプレート５０には、金属製の保護フレーム５４が取り付けられる。保護フレーム５４は、第１画素ずらしユニット５１、第２画素ずらしユニット５２、シフト板５３の上下面を除く４面を覆うように形成され、コネクタ取り付け部５４ａと、４辺に形成されて電気回路基板５５を支持する支持部５４ｂとが設けられている。コネクタ取り付け部５４ａには、コネクタ５１ｃ，５２ｃを取り付ける取り付け孔５４ｃ，５４ｄが設けられている。
【００２２】
図６に示すように、電気回路基板５５には、取り付け孔５５ａと、ＣＣＤ５６と、その他の回路構成部材とが設けられており、取り付け孔５５ａと取り付けボス５３ｂとにより、電気回路基板５５がシフト板５３に取り付けられ、位置決めされる。ＣＣＤ５６の受光面には、撮像レンズユニット３４のレンズ本体６５により、写真フイルム３７に記録された画像が結像される。このＣＣＤ５６で得られた画像データは、画像処理装置９に送られる。
【００２３】
図８に示すように、電気回路基板５５の下面のグランドパターン５５ｂには、接続部材６０がハンダ付けされている。図７に示すように、接続部材６０は、ホルダ６１と、接触片６２とから構成される。接触片６２は、弾性変形する薄板金属から構成されており、図８に示すように、一片のみホルダ６１に接続されているが、もう一片は自由になっており、Ｄ方向に弾性変形する。
【００２４】
図６に示すように、接続部材６０は、電気回路基板５５の４辺の各両端部にそれぞれ２個（合計１６個）設けられており、接触片６２が支持部５４ｂに接触している。これにより、電気回路基板５５が保護フレーム５４に電気的に確実に接続され、アースされる。なお、接続部材６０の個数及び配置位置は、１６個及び４辺の各両端部に限定されることなく、適宜変更してもよい。
【００２５】
撮像レンズユニット３４は、撮像ブラケット３２に取り付けられており、シフト機構４０により昇降ブラケット３２が移動されると、昇降ブラケット３２とともに光軸方向（図中Ａ方向）に移動される。
【００２６】
図９に示すように、撮像レンズユニット３４は、レンズ本体６５、レンズ台６６、レンズホルダ６７、パルスモータ６８から構成される。レンズ本体６５は、レンズ台６６に取り付けられる。レンズ台６６は、レンズホルダ６７に設けられたガイドレール６９に移動可能に取り付けられ、遮光シート７０の内部にコイルバネ７１が挿入され、バネ性を持つジャバラ７２により、下方向に付勢されている。レンズ台６６は、パルスモータ６８により光軸に沿って微動し、これによりピント調整が行われる。レンズ本体６５の光軸は、光拡散ボックスからの射出光の中心光線と一致するように配置される。
【００２７】
次に、本実施形態の作用について説明する。まず、フイルムキャリア３５をスライドさせ、第１経路３５ａ又は第２経路３５ｂのいずれか一方を光軸上に位置するようにセットする。画像読取が指示されると、まずプレスキャンが行われる。光源ユニット３６の光源の赤色光が発光し、読取位置にセットされた写真フイルム３７の画像の読み取りを開始する。これに引き続いて、緑色光、青色光での画像読取が行われる。このとき、光拡散ボックスの中心光線がレンズ本体６５の光軸と一致するように配置されているので光量のばらつきがなくなり、色ムラのない画像がＣＣＤ５６に読み取られる。
【００２８】
ＣＣＤ５６により画像を読み取る際、図示しないコントローラからの命令によりピエゾ素子５１ｂ，５２ｂを駆動制御し、第１画素ずらしユニット５１，第２画素ずらしユニット５２により、シフト板５３をＢ方向及びＣ方向に微量移動させる。シフト板５３が移動されると、シフト板５３に取り付けられた電気回路基板５５も移動される。これにより、画素ずらしが行われ、読取画素数を向上させることができる。
【００２９】
電気回路基板５５と保護フレーム５４とは、接続部材６０により接触しているだけであり、第１画素ずらしユニット５１，第２画素ずらしユニット５２により、シフト板５３をＢ方向及びＣ方向に微量移動させ、シフト板５３に取り付けられた電気回路基板５５を移動させる際には、接続部材６０の接触片６２が保護フレーム５４の支持部５４ｂ面上を移動する。これにより、電気回路基板５５に負荷が加わることがなくなるとともに、接触片６２は弾性変形する薄板金属から構成されるから、電気回路基板５５が保護フレーム５４に電気的に確実にアースされる。
【００３０】
プレスキャンが終了すると、写真フイルム３７を逆搬送してファインスキャンを、赤色光、緑色光、青色光の順で行う。ファインスキャンで読み取られた画像データは画像処理装置９に送られ画像処理が行われる。この画像処理データはプリント部４に送られて、画像データに基づく画像が露光部１５を介して感光材料１６に露光される。これにより、色むらのない高画質な画像を得ることができる。
【００３１】
なお、上記実施形態では、接続部材６０を、ホルダ６１と、弾性変形する薄板金属からなる接触片６２とから構成したが、これに限定されることなく、Ｄ方向に弾性変形可能であり、電気回路基板５５と保護フレーム５４とを電気的に確実に接続することのできるものであればよい。また、接続部材６０を電気回路基板５５に取り付けたが、保護フレーム５４に取り付けてもよい。
【００３２】
【発明の効果】
以上説明したように、本発明によれば、画像原稿を撮像する撮像素子と、この撮像素子が固定された電気回路基板と、この電気回路基板が取り付けられ、撮像素子の受光面と平行な方向に電気回路基板を移動させる基板移動手段と、電気回路基板を接地するための接地部材と、電気回路基板と接地部材との間でいずれか一方に設けられ、他方に弾発的に接触して電気回路基板を接地する接続部材とを備えたから、電気回路基板を移動させる場合でも電気回路基板のアースを確実にしかも簡単な構成で取ることができる。
【００３３】
また、接続部材は弾性変形する薄板金属からなる接触片を備えているから、より一層確実に電気回路基板のアースを取ることができる。さらに、基板移動手段は電気回路基板を一次元または二次元に移動させる画素ずらしユニットであるから、画素ずらしを行い撮像素子による読取画素数を向上させることができる。また、接地部材は画素ずらしユニットを囲んで保護する保護フレームであるから、安定して画素ずらしを行うことができる。
【図面の簡単な説明】
【図１】デジタルラボシステムの外観を示す斜視図である。
【図２】デジタルラボシステムの内部構成を示す概略図である。
【図３】画像読取装置の構成を示す正面図である。
【図４】撮像ユニットの構成を示す正面図である。
【図５】画素ずらしユニットとシフト板と保護フレームとの構成を示す斜視図である。
【図６】シフト板と保護フレームと電気回路基板との構成を示す斜視図である。
【図７】接続部材の構成を示す斜視図である。
【図８】接続部材の構成を示す断面図である。
【図９】撮像レンズユニットの構成を示す斜視図である。
【符号の説明】
２　デジタルラボシステム
８　画像読取装置
３０　支持部
３１　撮像台
３２　昇降ブラケット
３３　撮像ユニット
３４　撮像レンズユニット
３６　光源ユニット
３７　写真フイルム
４１　支持台
５０　ベースプレート
５１　第１画素ずらしユニット
５２　第２画素ずらしユニット
５３　シフト板
５４　保護フレーム
５４ｂ　支持部
５５　電気回路基板
６０　接続部材
６１　ホルダ
６２　接触片
６５　レンズ本体
７２　ジャバラ
【図１】
2004118064.tif 000003
【図２】
2004118064.tif 000004
【図３】
2004118064.tif 000005
【図４】
2004118064.tif 000006
【図５】
2004118064.tif 000007
【図６】
2004118064.tif 000008
【図７】
2004118064.tif 000009
【図８】
2004118064.tif 000010
【図９】
2004118064.tif 000011